(57)【特許請求の範囲】
【請求項１】
ＪＯＢに基づき用紙に画像形成を行う画像形成部を有し、前記画像形成がされた本身用紙の束を表紙用紙でコの字状に覆うことにより冊子を形成する後処理装置と接続可能な画像形成装置であって、
前記画像形成に係る動作を制御し、くるみ綴じモードを実行可能な制御部と、ＪＯＢを記憶する記憶部と、操作者による操作入力が可能な操作部とを有し、
前記制御部は、くるみ綴じモードにおいて、前記記憶部に記憶され、くるみ綴じモードが選択されているＪＯＢのページのうち複数の任意ページを前記操作部により指定可能にし、前記指定に際し読み出した表紙ページデータが表表紙、背表紙、裏表紙の領域に応じた画像生成がされる場合、前記操作部によって前記指定に係る本身ページおよび表紙ページデータを前記記憶部から読み出すとともに背表紙幅指定を可能にし、前記指定に際し読み出した表紙ページデータが白紙の表紙用紙が使用される場合、又は表表紙、背表紙、裏表紙の境なく画像生成がされる場合、前記操作部によって前記指定に係る本身ページおよび表紙ページデータを前記記憶部から読み出し、前記操作部による背表紙幅指定を可能にしないことを特徴とする画像形成装置。
【請求項２】
前記制御部は、前記ＪＯＢの本身ページの全てがくるみ綴じモードの出力対象とされる場合、前記表紙ページの背表紙幅調整を行わないことを特徴とする請求項１記載の画像形成装置。
【請求項３】
前記制御部は、くるみ綴じモードにおいて前記複数の任意ページ指定する際に、表紙を除いた本身ページを対象とすることを特徴とする請求項１または２に記載の画像形成装置。
【請求項４】
前記制御部は、前記複数の任意ページが指定された場合、指定された任意ページに応じて、前記背表紙幅を算出することを特徴とする請求項１〜３のいずれか１項に記載の画像形成装置。
【請求項５】
前記制御部は、前記複数の任意ページが指定された場合、本身ページがくるみ製本可能な最小枚数に至らない場合、前記くるみ綴じモードの実行を中止することを特徴とする請求項１〜４のいずれか１項に記載の画像形成装置。
【請求項６】
前記くるみ綴じモードの実行中止に際し、警告を通知することを特徴とする請求項５記載の画像形成装置。
【請求項７】
前記操作部が、画像形成装置本体に接続された外部機器に備えられていることを特徴とする請求項１〜６のいずれか１項に記載の画像形成装置。
【請求項８】
請求項１〜７のいずれかに記載の画像形成装置と、該画像形成装置で画像形成がされた本身用紙の束を表紙用紙でコの字状に覆うことにより冊子を形成する後処理装置とが接続されている画像形成システム。
【請求項９】
前記表紙用紙を収納する給紙トレイを前記画像形成装置または／および前記後処理装置に備えることを特徴とする請求項８記載の画像形成システム。
【発明の詳細な説明】
【技術分野】
【０００１】
この発明は、画像データに基づいて画像形成を行い、画像形成がされた本身用紙の束を表紙用紙でコの字状に覆うことにより冊子を形成するくるみ綴じを可能にする画像形成装置および画像形成システムに関するものである。
【背景技術】
【０００２】
画像データに基づいて画像形成を行う複写機、プリンタ、ファクシミリ、またはこれらの複合機などの画像形成装置では、軽印刷向け等において、パンチ／ステープル／くるみ製本等の多様で高度な後処理の要求が求められている。
くるみ製本では、くるみ綴じモードを実行可能な画像形成装置で本身用紙に画像形成を行い、該画像形成装置に接続された後処理装置で画像形成がされた本身用紙の束を表紙用紙でコの字状に覆って糊付けをして冊子を形成している。表紙用紙は、本身用紙とは別に画像形成装置に収容され、該画像形成装置で画像形成が行われたものや、後処理装置に収納されたものが使用される。
【０００３】
画像形成装置では、くるみ綴じモードを実行可能にする際に、作業効率を向上させるために、本身データと表紙データとを区分けしてＨＤＤなどに保存するものも提案されている（例えば特許文献１参照）。この画像形成装置では、くるみ綴じモードを実行する際には、ＨＤＤなどからくるみ綴じモード設定がなされた本身データを読み出すと、表紙に使用するデータも自動的に読み出される。表紙に使用するデータには所望により背表紙幅の情報などが含まれている。表紙に使用するデータとして表紙画像が含まれ、表表紙、裏表紙、背表紙の各領域に合わせてそれぞれ画像を形成する場合には、各画像データを合成して表紙画像を形成する。
【先行技術文献】
【特許文献】
【０００４】
【特許文献１】特開２００８−１１７２８５号公報
【発明の概要】
【発明が解決しようとする課題】
【０００５】
ところで、ＨＤＤなどに記憶されているくるみ綴じモードのＪＯＢを読み出して、本身の一部ページを抜き出し、表紙はそのまま使用してくるみ綴じで出力をしたいという要望が考えられる。しかし、従来の画像形成装置では、本身全体の厚さに応じて背表紙幅が設定されており、本身の一部を抜き出してくるみ綴じを行うと、背表紙幅が変わってくるため、表表紙、裏表紙、背表紙の各領域に合わせてそれぞれ表紙画像を形成する場合には、画像を適正位置に形成できなくなってくるという問題が発生する。したがって、従来の画像形成装置では、本身の一部を抜き出して表紙をそのまま使用してくるみ綴じを行うことについては全く考慮されていない。
【０００６】
本発明は、上記事情を背景としてなされたものであり、くるみ綴じモードに設定されたＪＯＢの本身の一部ページを抜き出して、良好にくるみ綴じ製本を行うことができる画像形成装置および画像形成システムを提供することを目的とする。
【課題を解決するための手段】
【０００７】
すなわち、本発明の画像形成のうち、第１の本発明は、ＪＯＢに基づき用紙に画像形成を行う画像形成部を有し、前記画像形成がされた本身用紙の束を表紙用紙でコの字状に覆うことにより冊子を形成する後処理装置と接続可能な画像形成装置であって、
前記画像形成に係る動作を制御し、くるみ綴じモードを実行可能な制御部と、ＪＯＢを記憶する記憶部と、操作者による操作入力が可能な操作部とを有し、前記制御部は、くるみ綴じモードにおいて、前記記憶部に記憶され、くるみ綴じモードが選択されているＪＯＢのページのうち複数の任意ページを前記操作部により指定可能にし、前記指定に際し読み出した表紙ページデータが表表紙、背表紙、裏表紙の領域に応じた画像生成がされる場合、前記操作部によって前記指定に係る本身ページおよび表紙ページデータを前記記憶部から読み出すとともに背表紙幅指定を可能にし、前記指定に際し読み出した表紙ページデータが白紙の表紙用紙が使用される場合、又は表表紙、背表紙、裏表紙の境なく画像生成がされる場合、前記操作部によって前記指定に係る本身ページおよび表紙ページデータを前記記憶部から読み出し、前記操作部による背表紙幅指定を可能にしないことを特徴とする。
【０００８】
前記背表紙幅の値の調整は、操作部によって操作者が背表紙幅を指定入力して行うものであってもよく、また、制御部において、指定された任意ページに応じて背表紙幅を算出して調整するようにしてもよい。背表紙幅は、指定された任意ページのページ数に応じて算出することができ、また、ページによって紙厚が異なる場合には、指定された任意ページの紙厚を考慮することができる。
操作部は、画像形成装置本体に備えるものの他、ネットワークなどに接続された外部機器に設けられているものであってもよい。操作部は、表示部と独立して設けられているものでもよく、また、操作部と表示部とが兼用されたものであってもよい。
制御部は、背表紙幅の調整に際し、背表紙幅に応じて表紙画像が合成されて形成される場合には、調整された背表紙幅に応じて表紙画像の合成を再度行い、表紙画像を適正位置に良好に形成することができる。
【０００９】
上記制御部は、くるみ綴じモードが設定されたＪＯＢの任意ページが指定された場合に背表紙幅を調整可能にするが、本身ページの全てが出力対象とされる場合には、背表紙幅の変更は不要であるので、背表紙幅調整を行わないものとする。また、白紙の表紙用紙や表表紙、裏表紙、背表紙などの領域に区画して画像形成を行わない場合には、背表紙幅の指定がなされないため、このような仕様では背表紙幅調整を行わないようにすることができる。
上記任意ページの指定は、表紙を除いた本身ページのうちから任意に行うことができ、連続するページに限定されない。
【００１０】
また、指定された任意ページの総数が所定枚数に至らない場合、冊子厚が十分でなく、くるみ綴じを良好に行うことができないため、くるみ製本が可能な最小枚数を設定しておき、指定されたページの総数が最小枚数に至らない場合には、くるみ綴じモードの実行を中止するのが望ましい。最小枚数データは、不揮発の記憶部に記憶しておき、制御部においてくるみ綴じモードの実行に際し該データを読み出してくるみ綴じモードの実行可否を判定することができる。また、この際に、表示部などに警告を発することで、操作者にページ数が不足することを知らせることができる。
【００１１】
画像形成装置で背表紙幅が調整されると、変更された背表紙幅に応じて画像形成装置に接続された後処理装置で表紙用紙に角背形成がなされ、指定されたページに応じた体裁でくるみ製本がなされる。
【発明の効果】
【００１２】
以上、説明したように、本発明の画像形成装置または画像形成システムによれば、前記画像形成に係る動作を制御し、くるみ綴じモードを実行可能な制御部と、ＪＯＢを記憶する記憶部と、操作者による操作入力が可能な操作部とを有し、前記制御部は、くるみ綴じモードにおいて、前記記憶部に記憶され、くるみ綴じモードが選択されているＪＯＢのページのうち複数の任意ページを前記操作部により指定可能にし、該指定がなされた場合、該指定に係る本身ページおよび表紙ページデータを前記記憶部から読み出すとともに、前記表紙ページの背表紙幅調整を可能にするので、本身ページのうち指定された任意のページに応じた背表紙幅調整でくるみ製本がなされる。これにより、小単位くるみや余分な頁を省いた資料の作成が可能になる。
【図面の簡単な説明】
【００１３】
【図１】本発明の一実施形態における画像形成装置、後処理装置からなる画像形成システムの機械的な概略断面を示す図である。
【図２】同じく、画像形成システムの回路ブロックを示す図である。
【図３】同じく、くるみ製本イメージを示す図である。
【図４】同じく、くるみ製本設定例を示す図である。
【図５】同じく、くるみ綴じモードにおける任意ページ出力例を示す図である。
【図６】同じく、くるみ綴じモードにおける出力部数選択画面例（基本画面）および出力ページ指定及び背表紙幅指定画面例を示す図である。
【図７】同じく、くるみ綴じモードで任意ページ出力を行う場合の手順を示すフローチャートである。
【発明を実施するための形態】
【００１４】
以下に、本発明の一実施形態を添付図面に基づいて説明する。
図１は、本発明の画像形成装置１および後処理装置２を備える画像形成システムの機械的概略を示す図である。以下に、説明する。
【００１５】
（画像形成装置１）
画像形成装置１は、操作部１４０、スキャナ部１３０、流し込みｔｙｐｅ自動原稿給送装置（ＡＤＦ）１３３、プラテンガラス１３４、ＡＤＦ原稿読み取り用スリットガラス１３５、プリンタ部１５０、給紙トレイ（１−３）１７０、大容量給紙トレイ１７１、第二給紙ローラー１７２等を備えている。
【００１６】
操作部１４０は、表示部としてのＬＣＤ１４１を備え、各種操作入力画面、装置の状態表示、各機能の動作状況等の表示を行う。
【００１７】
流し込みｔｙｐｅ自動原稿給送装置（ＡＤＦ）１３３は、スキャナ部１３０の上部に開閉可能に取り付けられ、原稿を１枚ずつＡＤＦ原稿読み取り用スリットガラス１３５上の原稿読取位置に自動給送し、スキャナ部１３０での読み取りが完了すると、当該原稿を原稿排紙トレイに排出する。
【００１８】
また、スキャナ部１３０では、プラテンガラス１３４上に載置した原稿を読み取ることができる。スキャナ部１３０は、光源、ＣＣＤ等により構成され、光源から原稿へ照明走査した光の反射光を結像して光電変換することにより原稿の画像を読み取り、読み取った画像をＡ／Ｄ変換器によりデジタル画像データに変換する。
【００１９】
プリンタ部１５０は、画像データに対応する画像を電子写真プロセスによって用紙上に形成する。プリンタ部１５０は、ＬＤ１５１、ドラム等を含んで構成されている。
ＬＤ１５１は、入力された画像データに基づいて、帯電器により帯電されたドラム表面にレーザ光を照射することにより静電潜像を形成し、該静電潜像に現像器より現像剤（トナー）を供給して現像する。給紙トレイ（１−３）１７０または大容量給紙トレイ１７１から第二給紙ローラー１７２を介して給紙される用紙にドラムに形成されたトナー像を転写部によって転写する。転写された画像は、定着器によって加熱定着される。画像形成された用紙は、後処理装置２に排出される。なお、画像形成装置１には、ネットワーク４を介して端末である外部機器３が接続されている。
【００２０】
（後処理装置２）
後処理装置２は、くるみ製本機能を有する後処理装置であり、表紙トレイ部２００、表紙カット部２０１、搬送部２１０、サブコンパイル部２２０、クランプ部２２１、糊塗布部２３０、角背成形部２４０、冊子収容部２５０等を備えている。
【００２１】
搬送部２１０は、画像形成装置１から搬入された用紙をサブトレイ２１５、サブコンパイル部２２０、又は角背成形部２４０に搬送する。
サブコンパイル部２２０は、画像形成装置１から搬入された画像形成済みの用紙を１部分の用紙の束としてスタック集積する。クランプ部２２１は、サブコンパイル部２２０においてスタック集積された用紙を取得して集積し、所定枚数に到達した時点でクランプ（固める）処理を実施する。糊塗布部２３０は、装置後方側に位置しており、糊塗布時に前進し、後退する時にクランプ処理された用紙束の下部に糊を塗布する。
【００２２】
角背成形部２４０は、クランプ部２２１の下方に位置しており、画像形成装置１から供給された表紙用紙または、表紙トレイ部２００に収納された表紙用紙を載せて上昇し、糊が塗布された用紙束の下部に表紙を貼り付け、用紙束に貼付された表紙を背表紙幅に従って角背に成形した後、成形された冊子を冊子収容部２５０に搬送する。冊子収容部２５０は、完成した冊子を搭載する。表紙カット部２０１は、表紙用紙に余部がある場合、角背形成前に、所定の大きさに表紙用紙を裁断する。
【００２３】
次に、図２を参照して、画像形成装置１の制御系の構成例について説明する。
すなわち画像形成装置１は、主要な構成として全体制御部１１０とスキャナ部１３０と操作部１４０とプリンタ部１５０とを有するデジタルコピア１００と、ＬＡＮ４を通して外部機器３（例えば端末）との間で入出力される画像データを処理する画像処理手段（プリント＆スキャナコントローラー）１６０とを備えている。
【００２４】
全体制御部１１０では、ＰＣＩバス１１２にＤＲＡＭ制御ＩＣ１１１が接続されており、該ＤＲＡＭ制御ＩＣ１１１に画像制御ＣＰＵ１１３が接続されている。該画像制御ＣＰＵ１１３には、該ＣＰＵを動作させるプログラム、画像形成装置１の設定データ、プロセス制御パラメータなどのデータが格納さる不揮発メモリ１１７が接続されている。
画像制御ＣＰＵ１１３は、画像形成装置１の全体を制御するものであり、不揮発メモリに登録した設定データ、プロセス制御パラメータなどのデータを呼び出して、登録内容に従って画像形成装置を動作、設定するものであり、本発明の制御部に相当する。
【００２５】
また、前記スキャナ部１３０は、光学読み取りを行うＣＣＤ１３１と、スキャナ部１３０全体の制御を行うスキャナ制御部１３２とを備えている。スキャナ制御部１３２は、前記画像制御ＣＰＵ１１３とシリアル通信可能に接続されており、画像制御ＣＰＵ１１３による制御を受けるとともに、前記ＣＣＤ１３１で読み取った画像データは、読み取り処理部１１６でデータ処理がなされ、圧縮ＩＣ１１８で所定の圧縮処理がなされる。圧縮ＩＣ１１８は、前記したＤＲＡＭ制御ＩＣ１１１に接続されている。
【００２６】
前記操作部１４０は、タッチパネル式のＬＣＤ１４１と、操作部制御部１４２とを備えており、上記ＬＣＤ１４１と操作部制御部１４２とが接続され、該操作部制御部１４２と前記画像制御ＣＰＵ１１３とが接続されている。該構成によって操作部１４０の制御が画像制御ＣＰＵ１１３によって行われる。操作部１４０では、画像形成装置１における設定や動作指令などの動作制御条件の入力が可能となっており、さらに設定内容、機械状態、警告の表示等が可能になっており、上記画像制御ＣＰＵ１１３により制御される。該操作部１４０は、ＪＯＢを呼び出すキーとして機能させることができ、また、くるみ綴じモードが選択されたＪＯＢの任意ページの指定入力や背表紙幅の指定入力を行うことが可能になっている。
【００２７】
ＤＲＡＭ制御ＩＣ１１１は、圧縮メモリ１２０とページメモリ１２１とからなる画像メモリに接続されている。該画像メモリには、前記スキャナ部１３０で取得した画像データやＬＡＮ４を通して取得した画像データが格納される。上記のように画像メモリは、画像データの記憶領域であり、印刷するジョブの画像データを格納する記憶部として機能する。また、該記憶部としては、ＨＤＤを備えるものであってもよく、ここではページメモリに含まれるものとする。
【００２８】
さらにＤＲＡＭ制御ＩＣ１１１には、圧縮された画像データを伸張する伸張ＩＣ１２５が接続されており、該伸張ＩＣ１２５には書込み処理部１２６が接続されている。該書込み処理部１２６は、プリンタ部１５０のＬＤ（レーザダイオード）１５１に接続され、該ＬＤ１５１の動作に用いられるデータの処理を行う。また、プリンタ部１５０は、プリンタ部１５０の全体を制御するプリンタ制御部１５２を備えており、プリンタ制御部１５２は、前記した画像制御ＣＰＵ１１３に接続されて制御を受ける。さらに該プリンタ部１５０には、後処理装置２が接続されており、該後処理装置２は、後処理装置２の全体を制御するフィニッシャ制御部２６０を備えており、該フィニッシャ制御部２６０は、前記したプリンタ制御部１５２に接続されて制御を受ける。また、後処理装置２には、該フィニッシャ制御部２６０の制御を受ける糊塗布部２３０、搬送部２１０を備えている。
【００２９】
また、前記ＤＲＡＭ制御ＩＣ１１１に接続された前記ＰＣＩバス１１２には、前記した画像処理手段１６０のＤＲＡＭ制御ＩＣ１６１が接続されている。画像処理手段１６０では、ＤＲＡＭ制御ＩＣ１６１に画像メモリ１６２が接続され、前記ＤＲＡＭ制御ＩＣ１６１にコントローラー制御ＣＰＵ１６３、ＬＡＮインターフェース１６５が接続されている。ＬＡＮインターフェース１６５は、前記ＬＡＮ４に接続されている。
【００３０】
次に、上記画像形成装置１の基本的動作について説明する。
先ず、画像形成装置１において画像データを蓄積する手順について説明する。
第１に画像形成装置１において、スキャナ部１３０で原稿の画像を読み取り画像データを生成する場合、スキャナ部１３０において原稿からＣＣＤ１３１により原稿の画像を光学的に読み取る。この際には、画像制御ＣＰＵ１１３から指令を受けるスキャナ制御部１３２によってＣＣＤ１３１の動作制御を行う。ＣＣＤ１３１で読み取られた画像は、読み取り処理部１１６でデータ処理がなされ、データ処理された画像データは、ＤＲＡＭ制御ＩＣの指令によって圧縮ＩＣ１１８において所定の方法によって圧縮され、ＤＲＡＭ制御ＩＣ１１１を介して圧縮メモリ１２０に格納される。
【００３１】
また、画像データを外部から取得する場合、例えば、外部機器３（端末など）などからＬＡＮ４を通して送信される画像データは、ＬＡＮインターフェース１６５を介してＤＲＡＭ制御ＩＣ１６１により画像メモリ１６２に格納される。画像メモリ１６２のデータは、ＤＲＡＭ制御ＩＣ１６１、ＰＣＩバス１１２、ＤＲＡＭ制御ＩＣ１１１を介して圧縮ＩＣ１１８に順次送られて圧縮処理され、ＤＲＡＭ制御ＩＣ１１１を介して圧縮メモリ１２０に格納される。
【００３２】
上記で取得した画像データに基づいて画像形成装置１で画像出力（コピー出力）を行う場合、圧縮メモリ１２０に格納された画像データをＤＲＡＭ制御ＩＣ１１１を介して伸張ＩＣ１２５に送出してデータを伸張し、伸張したデータをＤＲＡＭ制御ＩＣ１１１を介して書込み処理部１２６に送出し、ＬＤ１５１においてドラムへの書き込みを行う。プリンタ部１５０では、画像制御ＣＰＵ１１３の指令を受けてプリンタ制御部１５２によって用紙の搬送、転写、定着などの各部の制御が行われ、後処理装置２に搬送される。くるみ綴じの指令がある場合には、画像形成がなされた用紙にさらに後処理装置２でくるみ製本の後処理がなされる。
【００３３】
また、画像データをＨＤＤなどのページメモリ１２１に格納する際には、上記手順によって圧縮メモリ１２０に格納したデータページメモリを格納する。ＨＤＤなどのページメモリ１２１に格納したデータを読み出す処理では、ＤＲＡＭ制御ＩＣ１１１を介してページメモリ１２１に格納されたデータを圧縮メモリ１２０に記録する。このデータに基づいて画像出力を行う場合は、上記と同様に、圧縮メモリ１２０に格納された画像データをＤＲＡＭ制御ＩＣ１１１を介して伸張ＩＣ１２５に送出してデータを伸張し、伸張したデータをＤＲＡＭ制御ＩＣ１１を介して書込み処理部１２６に送出し、ＬＤ１５１においてドラムへの書き込みを行う。プリンタ部１５０では、画像制御ＣＰＵ１１３の指令を受けてプリンタ制御部１５２によって用紙の搬送、転写、定着などの各部の制御が行われ、後処理装置２に搬送される。くるみ綴じの指令がある場合には、画像形成がなされた用紙にさらに後処理装置２でくるみ製本の後処理がなされる。
【００３４】
以下に、本発明の画像形成システムにおけるくるみ製本について説明する。
図３は、くるみ製本のイメージを示す図である。
画像形成装置１によって画像形成され、搬送部２１０を介して後処理装置２に搬送された本身の用紙は、サブコンパイル部２２０で集積され、クランプ部２２１でクランプされて束状にされる。一方、表紙用紙は、表紙印字を行う場合には、給紙トレイ（１−３）１７０または大容量給紙トレイ１７１から給紙されてプリンタ部１５０で画像形成された後、画像形成装置１から後処理装置２に搬送される。表紙印字を行わない場合は、画像形成装置１から後処理装置２に搬送し、または後処理装置２の表紙トレイ部２００に収容した表紙用紙が使用される。表紙用紙は、所定の背表紙幅で角背形成がなされる。表紙用紙に余部がある場合、角背形成に先立って、表紙カット部２０１で余部がカットされる。角背形成は、画像形成装置１で設定された背表紙幅に従って後処理装置２に備える角背形成部２４０によって形成される。角背形成によって表紙用紙は、表表紙の部分と背表紙の部分と裏表紙の部分となる。背表紙の内面側と束状にされた本身束の端縁とは、糊塗布部２３０によって糊付けされ、冊子となる。製本された冊子は、冊子収容部２５０に搬送され、収容される。
【００３５】
本発明のくるみ綴じモードでは、複数の設定内容を有しており、その例を図４に示す。
該くるみ綴じモードでは、「表紙印字無し」と、「表紙印字有り」の設定に大別される。「表紙印字無し」の設定では、表紙トレイの指定がなされる（表紙白紙モード）。表紙トレイは、画像形成装置１の給紙トレイ（１−３）１７０または大容量給紙トレイ１７１、後処理装置２の表紙トレイ部２００のいずれかが指定される。
また、「表紙印字有り」では、「表紙画像合成済み」と、「表紙画像エンジン合成」に大別される。「表紙画像合成済み」の設定では、背表紙幅の指定はなく、背表紙幅の変更に基づいて画像形成のための調整は必要とされない（表紙印字モードＢ）。例えば連続模様などでは、表表紙、背表紙、裏表紙の境なく画像形成がなされる。「表紙画像エンジン合成」では、背表紙幅の指定がなされ、該指定に従って表表紙、背表紙、裏表紙の領域に応じた画像形成がなされる。この際に、本身の任意ページの指定に応じて背表紙幅の入力設定がなされる。この設定では、「背表紙印字有り」（表紙印字モードＣ）と「背表紙印字無し」（表紙印字モードＡ）に区分される。
【００３６】
次に、図５において、本身の任意ページを指定する例を説明する。
本身が章ごとに整理されたくるみ綴じモードのＪＯＢでは、各章ごとに本身ページを抜き出し、各章ごとに表紙ページが読み出されて用意される。これらをそれぞれくるみ印刷することで、各章毎の冊子を得ることができる（図５（ａ））。
また、本身ページに広告ページが含まれている場合、広告ページを除外するように本身ページを指定することで、広告ページが存在しない冊子を作成することができる（図５（ｂ））。
【００３７】
次に、くるみ綴じモードで任意ページを指定する表示画面を図６（ａ）（ｂ）に基づいて説明する。
図６（ａ）（ｂ）は、操作部１４０におけるＬＣＤ１４１の画面を示すものであり、図６（ａ）は、くるみ綴じモードでの基本画面１４３上に、出力枚数を指定するポップ画面１４４が表示されているものである。このポップ画面１４４において、ページ指定釦１４５を押釦すると、基本画面１４３上に指定ページと背表紙幅を表示したポップ画面１４６が指定入力可能に表示される。ポップ画面１４６では、デフォルトでは、指定ページとして本身ページの全てのページが表示され、背表紙幅として本身ページ数に応じた値が表示される。ポップ画面１４６の指定ページの項目を押釦すると、操作者によって任意のページを指定入力することができる。任意のページを指定入力すると、該任意ページのページ数に応じて背表紙幅が算出され、ポップ画面１４６に背表紙幅が指定入力可能に表示される。この背表紙幅は、さらに操作者が指定入力して任意値に調整することができる。また、任意値を前記算出値に従って所定の範囲に制限するようにしてもよい。ポップ画面１４６の「ＯＫ」釦１４７を押釦することで、くるみ綴じ製本が実行される。
【００３８】
図７は、ページメモリに相当するＨＤＤから画像データが読み出され、制御部によってジョブの実行がされる手順を示すフローチャートである。以下に、該手順を説明する。
先ず、任意ページの指定出力であるか否かの判定がなされる（ステップｓ１）。任意ページの指定出力でなければ（ステップｓ１、ＮＯ）、通常のジョブとして出力処理をする（ステップｓ２）。
任意ページの指定出力である場合（ステップｓ１、ＹＥＳ）、くるみ綴じ（製本）モードであるか否かを判定する（ステップ３）。くるみ綴じモードでない場合、通常の任意ページ出力処理を行う（ステップｓ４）。
【００３９】
一方、ステップ３でくるみ綴じモードであると判定される場合（ステップｓ３、ＹＥＳ）、表紙印字モードが前記した表紙印字モードＡまたは表紙印字モードＣであるか否かを判定する（ステップｓ５）。表紙印字モードＡ、Ｃのいずれでもない場合（ステップｓ５、ＮＯ）、背表紙幅の指定はないためページ指定のみ可能な画面がＬＣＤ１４１に表示される（ステップｓ６）。ページ指定がなされると、指定された本身ページのデータとともに表紙用データが読み出され、くるみ綴じ出力処理を可能にする（ステップｓ７）。該出力処理に際し、指定された本身ページの枚数が最小枚数に達しているものであるか否かの判定を行う（ステップｓ８）。最小枚数データは、予め不揮発メモリ１１７に記憶されており、画像制御ＣＰＵ１１３によって読み出し、指定された本身枚数と比較する。本身枚数が最小枚数に達したものであれば（ステップｓ８、Ｎｏ）、くるみ綴じ出力処理を続行し、その後、手順を終了する。一方、本身枚数が最小枚数に達していなければ（ステップｓ８、ＹＥＳ）、ＬＣＤ１４１に警告表示を行うとともにくるみ綴じ出力処理を中止し（ステップｓ９）、手順を終了する。
【００４０】
上記ステップｓ５で、表示印字モードＡまたはＣであると判定される場合（ステップ５、Ｙｅｓ）、図６（ｂ）に示すポップ画面１４６でページ指定とくるみ綴じ背表紙幅指定が可能な画面を表示する。この画面では、前記したように指定ページ数から背表紙幅を計算してデフォルト値として背表紙幅を表示する（ステップｓ１０）。例えば、ジョブ全体の本身ページ数が１００頁、任意ページ指定本身ページ数が５０頁で、ジョブ全体に対応する背表紙幅が１０ｍｍであれば、任意ページ指定に対応する背表紙幅は、１０×５０／１００＝５ｍｍと算出され、前記ポップ画面での背表紙幅が変更される。また、操作者は、変更された背表紙幅をさらに指定入力により変更することができる（ステップｓ１１）。これら変更が完了した後、指定された任意の本身ページとともに表紙用のデータが読み出され、くるみ綴じ出力処理が開始される。該処理開始に伴って、上記と同様に、指定された本身ページの枚数が最小枚数に達するものであるか否かの判定を行う（ステップｓ８）。本身枚数が最小枚数に至るものであれば（ステップｓ８、ＮＯ）、くるみ綴じ出力処理を続行し、その後、手順を終了する。本身枚数が最小枚数に達していなければ（ステップｓ８、ＹＥＳ）、ＬＣＤ１４１に警告表示を行うとともにくるみ綴じ出力処理を中止し（ステップｓ９）、手順を終了する。
【００４１】
上記手順により、本身ページの一部によってくるみ綴じを行う場合にも、背表紙幅を適切に調整してくるみ製本を行うことができる。
以上、本発明について上記実施形態に基づいて説明を行ったが、本発明は、上記実施形態の内容に限定をされるものではなく、当然に、本発明の範囲を逸脱しない限りは適宜の変更が可能である。
【符号の説明】
【００４２】
１  画像形成装置
２  後処理装置
１１３  画像制御ＣＰＵ
１４０  操作部
１４１  ＬＣＤ
１５０  プリンタ部
【図１】
0005408421.tif 000002
【図２】
0005408421.tif 000003
【図３】
0005408421.tif 000004
【図４】
0005408421.tif 000005
【図５】
0005408421.tif 000006
【図６】
0005408421.tif 000007
【図７】
0005408421.tif 000008